(57)【特許請求の範囲】
【請求項１】
頭部に装着する療養器具であって、
ツボを刺激するツボ刺激部と、
前記ツボ刺激部が設けられ、頭部の周方向に締付け可能なバンド部と、
長さが調整されることにより前記バンド部の締付けを調整する調整部と、
前記バンド部から離れた位置に設けられ、前記調整部の長さを頭部から離れた手元で手動で調整するための手元調整部と、
を備え、
前記手元調整部が調整されて前記ツボ刺激部がずれたときに適切な位置に戻せるように、前記ツボ刺激部を頭部の周方向にスライド可能なスライド機構を有することを特徴とする、療養器具。
【請求項２】
前記調整部は、前記バンド部に一端が接続され、前記手元調整部に他端が連結される紐部と、前記紐部に数珠なりに通される複数の円筒状部とを備え、
前記手元調整部は、前記紐部を巻取り及び巻解くことにより前記調整部を調整可能であることを特徴とする、請求項１に記載の療養器具。
【請求項３】
前記手元調整部は、前記紐部を巻き取る力を解除することにより、前記紐部を緩めることが可能であることを特徴とする、請求項２に記載の療養器具。
【請求項４】
前記円筒状部は、アルミニウム製であることを特徴とする、請求項２又は３に記載の療養器具。
【請求項５】
前記ツボ刺激部は、ゴム玉であることを特徴とする、請求項１〜４のいずれかに記載の療養器具。
【請求項６】
頭頂部を覆うことを特徴とする、請求項１〜５のいずれかに記載の療養器具。
【発明の詳細な説明】
【技術分野】
【０００１】
本発明は、頭部に装着し頭痛等に効果がある療養器具に関する。
【背景技術】
【０００２】
従来、頭部に装着し頭痛等に効果がある療養器具として、公開実用昭和６０−１２４９３６号公報（特許文献１）に開示されるものがある。同文献に開示される療養器具は、頭の大小及び微調整できる周囲調整丸ハンドル機構を取り付け、帽子のごとくに成形した本体に、丸枠、縦枠の内面壁に帯状の中空ゴム輪体を密着し、さらにこの内側面に頭部額の周囲及び頭部の頂点のツボの位置に強力磁気磁石を伸縮袋体の頂点にセットしたものを配着して構成される。
【０００３】
かかる従来の療養器具によれば、空圧によりこの伸縮袋体を間歇的繰り返し運動により袋体を膨出したり又縮めたりして頭部を空圧による指圧治療と磁気治療を同時に行い又動力式と手動式を兼用できる無音で振動のない合理的な機能を内蔵することができる。
【先行技術文献】
【特許文献】
【０００４】
【特許文献１】公開実用昭和６０−１２４９３６号公報
【発明の概要】
【発明が解決しようとする課題】
【０００５】
しかしながら、特許文献１に開示されるような従来の療養器具には、改善の余地があった。すなわち、従来の療養器具では、ツボを刺激する強力磁気磁石が、正確にツボの位置に当たりにくいという問題があった。
【０００６】
そこで本発明は、このような問題に鑑みてなされたもので、その目的とするところは、効果的に頭部のツボを刺激することの可能な、新規かつ改良された療養器具を提供することにある。
【課題を解決するための手段】
【０００７】
上記課題を解決するために、本発明によれば、頭部に装着する療養器具であって、ツボを刺激するツボ刺激部と、前記ツボ刺激部が設けられ、頭部の周方向（周囲方向）に締付け可能なバンド部と、前記バンド部の締付けを調整するための調整部と、前記調整部を手元で手動で調整するための手元調整部と、を備え、前記手元調整部が調整されて前記ツボ刺激部がずれたときに適切な位置に戻せるように、前記ツボ刺激部を頭部の周方向にスライド可能なスライド機構を有することを特徴とする、療養器具が提供される。
【０００８】
かかる構成によれば、バンド部を締め付けたときにツボを刺激するツボ刺激部がずれたとしても、ツボ刺激部をスライドさせて調整することができる。より適切な位置にツボ刺激部を当てることができる。また、髪の毛の量などによってバンド部の周囲の長さが変わっても同様に適用できる。また、頭部の大きさが違う人でも同じ機器を使用できる。このようにして、効果的に頭部のツボを刺激することが可能である。なお、スライド機構による調整は、ツボ刺激部の位置が最初からずれているときにも使用できることは言うまでもない。
【０００９】
本発明は様々な応用が可能である。以下の応用例は適宜組み合わせることが可能である。
【００１０】
例えば、前記調整部は、前記バンド部に一端が接続され、前記手元調整部に他端が連結される紐部と、前記紐部に数珠なりに通される複数の円筒状部とを備え、前記手元調整部は、前記紐部を巻取り及び巻解くことにより前記調整部を調整可能であってもよい。ツボ刺激部のスライドと調整部の調整とをバランスよく行うことで、効果的にツボを刺激することができる。
【００１１】
また、前記手元調整部は、前記紐部を巻き取る力を解除することにより、前記紐部を緩めることが可能であってもよい。手を放すだけで紐部を緩めることができるので、空気圧を利用するよりも安全性が高い。
【００１２】
また、前記円筒状部は、アルミニウム製であってもよい。強度や重さを考えると、アルミニウム製とすることが好ましい。
【００１３】
また、前記ツボ刺激部は、ゴム玉であってもよい。ゴム材としたことで適度な弾力がありツボへの刺激に適切である。また、玉状にしたことでスライド機構との相性が良い。このように、ツボを適切に刺激することができるので、強力磁気磁石や永久磁石のような高価なものを使う必要がなく、製造コストを下げられる。
【００１４】
頭頂部（頭部の頂点とその周囲）を覆うようにしてもよい。療養器具をかぶるように装着することができ、装着感に優れる。また、バンド部のずれを防止できることで、より適切にツボを刺激することができる。
【発明の効果】
【００１５】
本発明によれば、効果的に頭部のツボを刺激することの可能な療養器具が提供される。本発明のその他の効果については、後述する発明を実施するための形態においても説明する。
【図面の簡単な説明】
【００１６】
【図１】第１の実施形態にかかる療養器具１００の構成を概略的に示す図である。
【図２】図１をＡ方向から見た図である。
【図３】調整部１３０の詳細を示す図１のＢの拡大図であり（ａ）は調整部１３０が緩んだ状態を示す図であり、（ｂ）は調整部１３０が締った状態を示す図である。
【図４】スライド機構１５０の詳細を示す図１のＣの拡大図であり、（ａ）はツボ刺激部１１０が頭部の前側にある状態を示す図であり、（ｂ）はツボ刺激部１１０が頭部の後ろ側にある状態を示す図である。
【図５】第２の実施形態にかかる療養器具２００の構成を概略的に示す図である。
【図６】図５をＤ方向から見た図である。
【発明を実施するための形態】
【００１７】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１８】
（第１の実施形態）
第１の実施形態に係る療養器具１００について、図１〜図４を参照しながら説明する。図１は、本実施形態にかかる療養器具１００の構成を概略的に示す図である。図２は、図１をＡ方向から見た図である。療養器具１００は、頭部に装着する療養器具であって、図１及び図２に示したように、ツボ刺激部１１０と、バンド部１２０と、調整部１３０と、手元調整部１４０と、スライド機構１５０と、を主に備えて構成される。以下、療養器具１００の各構成要素について順に説明する。
【００１９】
（ツボ刺激部１１０）
ツボ刺激部１１０は、図１及び図２に示したように、頭部のツボを刺激するものである。ツボ刺激部１１０は、２．５ｍｍ程度のゴム玉で構成されている（便宜上、図では誇張して表現している）。ツボ刺激部１１０は、後述するバンド部１２０から頭部に向けて突出するように設けられることで、頭部のツボを刺激することができる。
【００２０】
（バンド部１２０）
バンド部１２０は、図１に示したように、ツボ刺激部１１０が設けられ、頭部の周方向に締付け可能である。バンド部１２０は、例えば、幅が３ｍｍほどのアルミ板や革や樹脂や布地などで構成することができる。バンド部１２０には、後述する調整部１３０が設けられており、調整部１３０の調整により拡径及び縮径可能である。よって、調整部１３０はバンド部１２０を頭部の周方向に締付け可能である。
【００２１】
（調整部１３０）
調整部１３０は、図１に示したように、バンド部１２０の締付けを調整するためのものである。調整部１３０は、紐部１３２と、複数の円筒状部１３４とからなる。紐部１３２は、その一端がバンド部１２０の一端部１２０ａに接続され、他端が後述する手元調整部１４０に他端が連結されている。円筒状部１３４は、紐部１３２に数珠なりに通されている。円筒状部１３４は、長さ３ｃｍほどのアルミニウムで構成することができる。
【００２２】
調整部１３０の詳細について、図３を参照しながら説明する。図３は、図１のＢの拡大図であり、調整部１３０の詳細を示す図である。
【００２３】
調整部１３０は、図３（ａ）に示した状態では、バンド部１２０の締付けが緩んでおり、円筒状部１３４の間隔が開いている。後述する手元調整部１４０により調整されると、紐部１３２が巻き取られ、図３（ｂ）に示したように、隣り合う円筒状部１３４の間隔が狭くなり当接する。さらに手元調整部１４０により調整されると、図１中の矢印に示したように、円筒状部１３４によってバンド部１２０の他端部１２０ｂが押圧されてバンド部１２０の一端部１２０ａの方向に移動する。よって、バンド部１２０が締め付けられる。
【００２４】
（手元調整部１４０）
手元調整部１４０は、調整部１３０を手元で手動で調整するためのものである。手元調整部１４０は、図１に示したように、ダイヤル１４２と、紐巻取部１４４とを備えて構成される。手元調整部１４０は、調整部１３０の紐部１３２を巻取り及び巻解くことにより、調整部１３０を調整可能である。
【００２５】
ダイヤル１４２を一方向に回すと、紐巻取部１４４に、調整部１３０の紐部１３２が巻き取られる。これにより、上述したように調整部１３０がバンド部１２０を締め付ける。ダイヤル１４２を他方向に回すと、調整部１３０の紐部１３２が巻解かれる。
【００２６】
（スライド機構１５０）
スライド機構１５０は、ツボ刺激部１１０を適切な位置に移動させるものである。上述したように、手元調整部１４０で調整されることでバンド部１２０が頭部の周方向に移動するため、バンド部１２０の移動に伴ってツボ刺激部１１０も移動する。このため、ツボ刺激部１１０が適切な位置からずれてしまう。このようなときに、スライド機構１５０によってツボ刺激部１１０を適切な位置に戻せる。スライド機構１５０について、図４を参照しながら説明する。図４は、図１のＣの拡大図であり、スライド機構１５０の詳細を示す図である。
【００２７】
スライド機構１５０は、ツボ刺激部１１０を、頭部の周方向にスライド可能である。スライド機構１５０は、図２に示したように、ねじ１５２を一方向に回す（緩める）とスライド可能になる。この状態でツボ刺激部１１０をスライドさせて位置を変えることができる。ねじ１５２を他方向に回す（絞める）とスライド不能となって固定される。スライド幅は例えば３ｃｍ程度とすることができる。
【００２８】
スライド機構１５０は、図４（ａ）の状態では、ツボ刺激部１１０が頭部の最も前側にある。ねじ１５２を緩めるとスライド機構１５０が可動して、ツボ刺激部１１０を頭部の後ろ側に移動させることができる。そして、図４（ｂ）の状態では、ツボ刺激部１１０が頭部の最も後ろ側にある。ねじ１５２を緩めるとスライド機構１５０が可動して、ツボ刺激部１１０を頭部の前側に移動させることができる。
【００２９】
以上、本実施形態の療養器具１００の構成を説明した。次に、療養器具１００の使用方法について説明する。
【００３０】
まず、図１及び図２に示したように、療養器具１００を使用者の頭部に装着する。そして、図１に示したように、手元調整部１４０のダイヤル１４２を一方向に回すと、調整部１３０の紐部１３２が巻き取られる。これにより、調整部１３０がバンド部１２０を締め付ける。ツボ刺激部１１０が適切な位置にあるときには、使用者の頭部のツボが適切に刺激される。
【００３１】
調整部１３０によるバンド部１２０の調整により、ツボ刺激部１１０が適切な位置から移動することがある。あるいは、はじめからツボ刺激部１１０が適切な位置にないことがある。このようなときには、スライド機構１５０によって、ツボ刺激部１１０の位置を適切な位置に変えることができる。
【００３２】
ツボ刺激部１１０が耳の後ろにあるツボ（完骨）を圧迫することで、頭痛、頭重、目の疲れなどの症状を軽減することができる。手元調整部１４０のダイヤル１４２を回してここが限界というところで５〜１０秒制止する。ダイヤル１４２の手を緩めると解放される。
すなわち、手元調整部１４０は、紐部１３２を巻き取る力を解除することにより、紐部１３２を緩めることが可能である。
【００３３】
療養器具１００の使用を終えるときには、手元調整部１４０のダイヤル１４２の手を緩めると、あるいは他方向に回すと、調整部１３０の紐部１３２が巻解かれる。これによりバンド部１２０の締め付けが開放される。使用者は療養器具１００を頭部から外すことができる。
【００３４】
（第１の実施形態の効果）
以上説明したように、本実施形態によれば、バンド部１２０を締め付けたときにツボを刺激するツボ刺激部１１０がずれたとしても、ツボ刺激部１１０をスライドさせて調整することができる。より適切な位置にツボ刺激部１１０を当てることができる。また、髪の毛の量などによってバンド部の周囲の長さが変わっても同様に適用できる。また、頭部の大きさが違う人でも同じ機器を使用できる。このようにして、効果的に頭部のツボを刺激することが可能である。
【００３５】
また、手元調整部１４０で、調整部１３０の紐部１３２を巻取り及び巻解くことにより調整部１３０を調整可能としたので、ツボ刺激部１１０のスライドと調整部１３０の調整とをバランスよく行うことで、効果的にツボを刺激することができる。
【００３６】
また、手元調整部１４０は、紐部１３２を巻き取る力を解除することにより、紐部１３２を緩めることが可能であるので、手を放すだけで紐部１３２を緩めることができる。よって、空気圧を利用するよりも安全性が高い。
【００３７】
また、調整部１３０の円筒状部１３４をアルミニウム製としたので、強度や重さが好ましい。
【００３８】
また、ツボ刺激部１１０をゴム玉としたことで、様々な効果がある。まず、ゴム材としたことで適度な弾力がありツボへの刺激に適切である。また、玉状にしたことでスライド機構１５０との相性が良い。このように、ツボを適切に刺激することができるので、強力磁気磁石や永久磁石のような高価なものを使う必要がなく、製造コストを下げられる。
【００３９】
以下では、上記第１の実施形態を応用した他の実施形態について説明する。以下の実施形態では、上記第１の実施形態と異なる点を中心に説明することとし、上記第１の実施形態と同様の構成又は動作については、重複説明を省略することがある。
【００４０】
（第２の実施形態）
第２の実施形態に係る療養器具２００について、図５及び図６を参照しながら説明する。図５は、本実施形態に係る療養器具２００の構成を概略的に示す図である。図６は、図５をＤ方向から見た図である。本実施形態では、療養器具２００は、頭頂部を覆うことを特徴とする。
【００４１】
療養器具２００は、図５及び図６に示したように、バンド部２２０（２２０ａ、２２０ｂ、２２０ｃ）が頭部の複数箇所を覆うように構成されている。バンド部２２０ａは上記第１の実施形態のバンド部１２０と同様の機能を有する。バンド部２２０ｂは、図５及び図６に示したように、左耳から頭頂部にかけて右耳へとわたるように構成される。バンド部２２０ｃは、図５及び図６に示したように、前頭部（ひたい）から頭頂部にかけて後頭部へとわたるように構成される。療養器具２００のその他の点については、上記第１の実施形態の療養器具１００と同様に構成することができる。
【００４２】
療養器具２００の使用方法については、療養器具２００をかぶるように装着することができる点以外は、上記第１の実施形態の療養器具１００の使用方法と実質的に同様である。
【００４３】
（第２の実施形態の効果）
以上説明したように、本実施形態によれば、療養器具２００をかぶるように装着することができ、装着感に優れる。また、バンド部２２０のずれを防止できることで、より適切にツボを刺激することができる。
【００４４】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００４５】
例えば、上記実施形態では、ツボ刺激部１１０が１つだけあるケースについて説明したが、本発明はこれに限定されない。ツボ刺激部が２つ以上あってもよい。スライド機構も２つ以上のツボ刺激部のすべてに設けてもよく、あるいはツボ刺激部の一部にだけ設けてもよい。
【００４６】
また、上記実施形態では、調整部１３０の構成として、バンド部１２０に一端が接続され手元調整部１４０に他端が連結される紐部１３２と、紐部１３２に数珠なりに通される複数の円筒状部１３４とを備える構成について説明したが、本発明はこれに限定されない。バンド部１２０の締付けを調整することができれば、どのような構成であってよい。例えば、紐部としてワイヤーを使用してもよい。
【００４７】
また、上記実施形態では、手元調整部１４０の構成として、紐巻取部１４４に紐部１３２を巻取り及び巻解くことにより調整部１３０を調整可能である構成について説明したが、本発明はこれに限定されない。調整部を調整することができれば、どのような構成であってもよい。例えば、手元調整部のダイヤルを、バンド部１２０を締め付ける方向には回せるが、バンド部１２０を解除する方向には、解除ボタンを押さないと回せないようにしてもよい。また、手元調整部は電動であってもよい。
【００４８】
また、上記実施形態では、円筒状部１３４はアルミニウム製としたが、本発明はこれに限定されず、他の素材によって構成してもよい。
【００４９】
また、上記実施形態では、ツボ刺激部１１０はゴム玉であるものとして説明したが、本発明はこれに限定されない。他の素材（例えば、樹脂や金属など）によって構成したり、他の形状（例えば、突起状など）であったりしてもよい。
【００５０】
上記実施形態、応用例、変形例は、任意に組み合わせて実施することができる。
【符号の説明】
【００５１】
１００、２００  療養器具
１１０  ツボ刺激部
１２０  バンド部
１３０  調整部
１３２  紐部
１３４  円筒状部
１４０  手元調整部
１４２  ダイヤル
１４４  紐巻取部
１５０  スライド機構
１５２  ねじ
２２０（２２０ａ、２２０ｂ、２２０ｃ）  バンド部
【要約】
【課題】効果的に頭部のツボを刺激することの可能な療養器具を提供する。
【解決手段】頭部に装着する療養器具１００であって、ツボを刺激するツボ刺激部１１０と、ツボ刺激部１１０が設けられ、頭部の周方向に締付け可能なバンド部１２０と、バンド部１２０の締付けを調整するための調整部１３０と、調整部１３０を手元で手動で調整するための手元調整部１４０とを備え、手元調整部１４０が調整されてツボ刺激部１１０がずれたときに適切な位置に戻せるように、ツボ刺激部１１０を頭部の周方向にスライド可能なスライド機構１５０を有することを特徴とする。バンド部１２０を締め付けたときにツボ刺激部１１０がずれたとしても、ツボ刺激部１１０をスライドさせて調整することができ、より適切な位置にツボ刺激部１１０を当てることができる。このようにして、効果的に頭部のツボを刺激することが可能である。
【選択図】図１【図１】
0006842015.tif 000002
【図２】
0006842015.tif 000003
【図３】
0006842015.tif 000004
【図４】
0006842015.tif 000005
【図５】
0006842015.tif 000006
【図６】
0006842015.tif 000007